(57)【特許請求の範囲】
【請求項１】
供給される映像信号に付属する同期信号に基づいて省電力モードを検知する省電力モード検知手段と、
前記映像信号を各種表示パラメータに基づき表示する表示手段と、
前記表示手段上に表示される画像を画像信号に変換する光電変換手段と、
前記省電力モード検知手段が省電力モードを検知したときに、前記光電変換手段を介して得られる表示画像が所望の画質となるように前記各種パラメータを補正する補正手段と、
を具備することを特徴とする表示装置。
【請求項２】
前記補正手段は、省電力モード検知手段が省電力モードを検知したときに、前記光電変換手段により表示画像の輝度または色度を測定し、該表示画像が所望の輝度または色度となるように少なくとも前記映像信号の増幅度を含む各種パラメータを補正することを特徴とする請求項１に記載の表示装置。
【請求項３】
前記表示手段に対する地磁気の影響を補正する地磁気補正手段を有し、
前記補正手段は、省電力モード検知手段が省電力モードを検知したときに、前記光電変換手段により表示画像の輝度を測定し、該表示画像が最大輝度となるように少なくとも前記地磁気補正手段の駆動条件を含む各種パラメータを補正することを特徴とする請求項１に記載の表示装置。
【請求項４】
前記補正手段は、省電力モード検知手段が省電力モードを検知したときに、前記光電変換手段により表示画像を取り込み、該表示画像が所望の大きさ、位置または傾きとなるように前記各種パラメータを補正することを特徴とする請求項１に記載の表示装置。
【発明の詳細な説明】
【０００１】
【発明の属する技術分野】
本発明は、表示装置に係り、特に、表示画像が常に所望の画質となるように、ユーザに意識させることなく自動的に画質の高精度な補正を行う表示装置に関する。
【０００２】
【従来の技術】
従来より、特に陰極線管表示装置（以下、ＣＲＴと略記する）等の表示装置においては、経年変化によって輝度や色温度等にずれが生じ、表示画像の画質が劣化するという事情があった。そこで、通常、ＣＲＴ等の表示装置には、ユーザが目視によって輝度や色度を調整するための補正機能が備えられている。
【０００３】
【発明が解決しようとする課題】
しかしながら、上記従来の表示装置およびその表示画像補正方法にあっては、ユーザがテストパターン等を表示画面上に表示し、補正機能を使用して輝度や色度の調整を行うこととなるが、ユーザにとってはこの補正作業は煩雑であり、また目視による調整であるために補正精度も低いものであった。
【０００４】
この発明は、このような従来の事情に着目してなされたもので、その目的とするところは、表示装置の表示画像が常に所望の画質となるように、ユーザに意識させることなく自動的に画質の高精度な補正を行う表示装置を提供することにある。
【０００５】
【課題を解決するための手段】
上記課題を解決するために、本出願の請求項１に記載の発明は、供給される映像信号に付属する同期信号に基づいて省電力モードを検知する省電力モード検知手段と、前記映像信号を各種表示パラメータに基づき表示する表示手段と、前記表示手段上に表示される画像を画像信号に変換する光電変換手段と、前記省電力モード検知手段が省電力モードを検知したときに、前記光電変換手段を介して得られる表示画像が所望の画質となるように前記各種パラメータを補正する補正手段とを具備することを特徴とする表示装置にある。
【０００６】
また、本出願の請求項２に記載の発明は、前記補正手段は、省電力モード検知手段が省電力モードを検知したときに、前記光電変換手段により表示画像の輝度または色度を測定し、該表示画像が所望の輝度または色度となるように少なくとも前記映像信号の増幅度を含む各種パラメータを補正することを特徴とする請求項１に記載の表示装置にある。
【０００７】
また、本出願の請求項３に記載の発明は、前記表示手段に対する地磁気の影響を補正する地磁気補正手段を具備し、前記補正手段は、省電力モード検知手段が省電力モードを検知したときに、前記光電変換手段により表示画像の輝度を測定し、該表示画像が最大輝度となるように少なくとも前記地磁気補正手段の駆動条件を含む各種パラメータを補正することを特徴とする請求項１に記載の表示装置にある。
【０００８】
また、本出願の請求項４に記載の発明は、前記補正手段は、省電力モード検知手段が省電力モードを検知したときに、前記光電変換手段により表示画像を取り込み、該表示画像が所望の大きさ、位置または傾きとなるように前記各種パラメータを補正することを特徴とする請求項１に記載の表示装置にある。
【０００９】
そして、この請求項１に記載の発明によれば、省電力モード検知手段により、供給される映像信号に付属する同期信号に基づいて省電力モードを検知すると、表示手段上に表示される画像を光電変換手段によって画像信号に変換し、補正手段により、光電変換手段を介して得られる表示画像が所望の画質となるように表示手段）における各種パラメータを補正する。このように、ユーザが表示装置および該表示装置上に表示すべき映像データを処理する処理装置を使用していない省電力モード時に、自動的に補正を行うので、表示装置の表示画像が常に所望の画質となるように、ユーザが意識することなく自動的に画質の高精度な補正を行うことが可能となる。
【００１０】
また、請求項２に記載の発明によれば、補正手段により、省電力モード検知手段において省電力モードを検知したときに、光電変換手段により表示画像の輝度または色度を測定し、該表示画像が所望の輝度または色度となるように少なくとも前記映像信号の増幅度を含む各種パラメータを補正する。このように、省電力モード時に自動的に輝度または色度の補正を行うので、表示装置の表示画像が常に所望の輝度または色度となるように、ユーザが意識することなく自動的に画質の補正を行うことができ、また従来のように、人手による調整ではないので高い補正精度を実現することも可能である。
【００１１】
また、請求項３に記載の発明によれば、補正手段により、省電力モード検知手段において省電力モードを検知したときに、光電変換手段により表示画像の輝度を測定し、該表示画像が最大輝度となるように少なくとも地磁気補正手段の駆動条件を含む各種パラメータを補正する。このように、省電力モード時に自動的に地磁気補正手段の駆動条件の補正を行うので、表示装置の表示画像が常に所望の画質となるように、ユーザが意識することなく自動的に画質の高精度な補正を行うことが可能となる。
【００１２】
さらに、請求項４に記載の発明によれば、補正手段により、省電力モード検知手段において省電力モードを検知したときに、光電変換手段により表示画像を取り込み、該表示画像が所望の大きさ、位置または傾きとなるように前記各種パラメータを補正する。このように、省電力モード時に自動的に表示画面の大きさ、位置または傾きの補正を行うので、表示装置の表示画像が常に所望の画質となるように、ユーザが意識することなく自動的に画質の高精度な補正を行うことが可能となる。
【００１３】
【発明の実施の形態】
以下、本発明の表示装置の実施の形態について、〔第１の実施形態〕、〔第２の実施形態〕の順に図面を参照して詳細に説明する。
【００１４】
〔第１の実施形態〕
図１は本発明の第１の実施形態に係る表示装置の構成図である。
【００１５】
同図において、本実施形態の表示装置は、パーソナルコンピュータ（以下、パソコンと略記する）１０１において処理された映像データ１５１をＣＲＴ１０５上に表示するものであって、映像切換回路１０３、映像回路１０４，ＣＲＴ１０５、発振回路１０８、偏向・高圧回路１０９、光電変換装置１１０、制御回路１１２、ＡＣ電源１０２、電源回路１１３、およびパワーセーブ回路１１４を備えて構成されている。また、制御回路１１２は、ＭＰＵ１０６、記憶回路１０７、およびＡ／Ｄコンバータ１１１を備えた構成である。
【００１６】
ＭＰＵ１０６は、各制御信号１５７，１５８，１５９等を介して各構成回路の動作を制御するとともに、供給される映像信号１５１に付属する水平および垂直同期信号１５２に基づいて省電力モードを検知する省電力モード検知手段として、また、省電力モードを検知したときに、光電変換装置１１０およびＡ／Ｄコンバータ１１１を介して得られるＣＲＴ１０５上の表示画像が所望の画質となるように表示における各種パラメータを補正する補正手段として機能する。
【００１７】
すなわち、映像切換回路１０３に対しては、通常動作時にはパソコン１０１からの映像信号１５１を、調整時にはＭＰＵ１０６からの調整用映像信号１５４をそれぞれ選択切換するように制御信号１５７を出力し、映像回路１０４に対しては、表示すべき映像信号を所定の増幅度等の表示パラメータで表示するように制御信号１５８を出力し、さらに、水平および垂直同期信号１５２の有無に基づき（水平および垂直同期信号１５２が供給されないときには）省電力モードであることを検知して、パワーセーブ回路１１４に対して、映像回路１０４および偏向・高圧回路１０９への電源供給を遮断するように制御信号１５９を出力する。
【００１８】
また、表示手段であるＣＲＴ１０５上に表示された画像は、光電変換装置１１０によって画像信号に変換され、Ａ／Ｄコンバータ１１１でディジタル信号に変換された後、ＭＰＵ１０６に供給される構成となっている。これは、ＭＰＵ１０６が省電力モードを検知したときに行う補正処理の際に、ＣＲＴ１０５上の表示画像を取り込んで、該表示画像の輝度および色度（色合い）を測定するためのものである。
【００１９】
次に、以上の各構成要素を具備した本実施形態の表示装置における、省電力モード時の輝度および色度の補正処理について詳細に説明する。
【００２０】
図２は、省電力モード時に行われる校正機能（輝度および色度の補正処理）の概略フローチャートである。
【００２１】
まず、ステップ２０１において、ＭＰＵ１０６は、パソコン１０１からの映像信号１５１に付属した水平および垂直同期信号１５２が供給されていないことを検知して、パソコン１０１が省電力モード（パワーセーブモード）に入ったことを検知する。
【００２２】
次に、ステップ２０２では、ＭＰＵ１０６は、校正機能（輝度および色度の補正処理）を起動する信号を出力して、ステップ２０３で該校正機能を動作させる。
【００２３】
次に、ステップ２０４では、校正機能が終了した後、当該表示装置を省電力モードとするために、パワーセーブ機能を起動する信号１５９を出力し、ステップ２０５では、パワーセーブ回路１１４が、該制御信号１５９の供給を受けて作動して、映像回路１０４および偏向・高圧回路１０９への電源供給を遮断する。ステップ２０６では、こうして映像回路１０４および偏向・高圧回路１０９への電源供給が断たれ、ＣＲＴ１０５の表示が止まり、当該表示装置がパワーセーブ状態に入る。
【００２４】
次に、上記概略フローチャートにおける校正機能の詳細な説明をする前に、工場出荷時に行われる輝度および色度の補正処理について、図３を参照して詳細に説明する。この工場出荷時における処理は、省電力モード時に行われる輝度および色度の補正処理において、比較すべき基準値を設定・記憶するためにも必要なものである。
【００２５】
まず、ステップ３０１では、ＭＰＵ１０６は、予め記憶回路１０７に保持されている調整用映像信号１５４を映像切換回路１０３に出力する。また、ステップ３０２では、ＭＰＵ１０６からの調整用映像信号１５４を映像回路１０４に供給するため、映像切換回路１０３における切換選択を制御すべく制御信号１５７を出力する。これにより、ステップ３０３では、調整用映像信号１５４が映像回路１０４により所定の増幅条件にて増幅され、ＣＲＴ１０５に印加されて映像を映し出す。
【００２６】
次に、ステップ３０４では、ＣＲＴ１０５に映し出された画像の輝度および色度（色合い）を、ＣＲＴ１０５の管面前でかつディスプレイ内に配置されている光電変換装置１１０により、電気信号に変換する。また、ステップ３０５では、光電変換された信号をＡ／Ｄコンバータ１１１を介してＭＰＵ１０６内に取り込み、ＭＰＵ１０６において、調整用映像信号による画像の輝度および色度（色合い）を数値化し、該数値をＸ１とする。さらに、ステップ３０６では、調整用映像信号による画像の輝度および色度（色合い）Ｘ１を記憶回路１０７に工場出荷時の値として記録する。
【００２７】
次に、ステップ３０７では、ＭＰＵ１０６からの調整用映像信号１５４の出力を停止し、ステップ３０８で、再びパソコン１０１からの映像信号１５１を映像回路１０４に供給するため、映像切換回路１０３における選択を切り換えるべく制御信号１５７を出力し、工場出荷時における処理を終了する。
【００２８】
次に、図４および図５のフローチャートを参照して、省電力モード時の輝度および色度の補正処理について詳細に説明する。
【００２９】
まず、ステップ４０１では、ＭＰＵ１０６は、パソコン１０１から水平および垂直同期信号１５２の出力が停止されていることを検知して、パソコン１０１が省電力モード（パワーセーブモード）に入ったことを検知して、校正機能の処理に切り替える。
【００３０】
次に、ステップ４０２では、ＭＰＵ１０６は、予め記憶回路１０７に保持されている調整用映像信号１５４を映像切換回路１０３に出力する。また、ステップ４０３では、ＭＰＵ１０６からの調整用映像信号１５４を映像回路１０４に供給するため、映像切換回路１０３における切換選択を制御すべく制御信号１５７を出力する。これにより、ステップ４０４では、調整用映像信号１５４が映像回路１０４により所定の増幅条件にて増幅され、ＣＲＴ１０５に印加されて映像を映し出す。
【００３１】
次に、ステップ４０５では、ＣＲＴ１０５に映し出された画像の輝度および色度（色合い）を、光電変換装置１１０により電気信号に変換する。また、ステップ４０６では、光電変換された信号をＡ／Ｄコンバータ１１１を介してＭＰＵ１０６内に取り込み、ＭＰＵ１０６において、調整用映像信号による画像の輝度および色度（色合い）を数値化し、該数値をＸ２とする。
【００３２】
さらに、ステップ４０７では、調整用映像信号による画像の輝度および色度（色合い）Ｘ２と工場出荷時の調整値Ｘ１とを比較し、これらＸ１およびＸ２が等しい値であれば補正処理を行う必要はないので当該処理を終了する。また、Ｘ１およびＸ２が異なる値であれば、図５のステップ５０１に進む。
【００３３】
ステップ５０１では、調整用映像信号による画像の輝度および色度（色合い）Ｘ２と工場出荷時の調整値Ｘ１とが等しくなるように、ＭＰＵ１０６により映像回路１０４の増幅条件を変化させ、ステップ５１１からステップ５１５までの処理を繰り返す。
【００３４】
すなわち、ステップ５１１では、ＭＰＵ１０６により映像回路１０４の増幅条件を変更し、ステップ５１２で、ＣＲＴ１０５に映し出される映像の輝度および色度（色合い）を変化させ、ステップ５１３では、ＣＲＴ１０５に映し出された画像の輝度および色度（色合い）を光電変換装置１１０により電気信号に変換し、光電変換された信号をＡ／Ｄコンバータ１１１を介してＭＰＵ１０６内に取り込み、ステップ５１４では、ＭＰＵ１０６において、変化させた画像の輝度および色度（色合い）を数値化し、該数値をＸｎとする。さらに、ステップ５１５では、変化させた画像の輝度および色度（色合い）Ｘｎと工場出荷時の調整値Ｘ１とを比較し、これらＸ１およびＸｎが等しい値となるまで、上記ステップ５１１からステップ５１５までの処理を繰り返す。
【００３５】
ステップ５１５において、変化させた画像の輝度および色度（色合い）Ｘｎと工場出荷時の調整値Ｘ１とが等しい値となると、ステップ５０２に進んで、この時の映像回路１０４における増幅条件を記憶回路１０７に記録する。すなわち、この記憶回路１０７に保持された増幅条件によってパソコン１０１からの映像信号１５１を増幅することで、ＣＲＴ１０５上には、工場出荷時の調整における画像と同じ輝度および色度（色合い）の再現をすることが可能となる。
【００３６】
次に、ステップ５０３では、ＭＰＵ１０６からの調整用映像信号１５４の出力を停止し、ステップ５０４で、再びパソコン１０１からの映像信号１５１を映像回路１０４に供給するため、映像切換回路１０３における選択を切り換えるべく制御信号１５７を出力し、校正機能の処理を終了する。
【００３７】
以上のように、第１の実施形態の表示装置によれば、省電力モード検知手段（ＭＰＵ）１０６により、供給される映像信号に付属する同期信号に基づいて省電力モードを検知すると、ＣＲＴ１０５上に表示される画像を光電変換装置１１０によって画像信号に変換し、補正手段（ＭＰＵ）１０６により、光電変換装置１１０およびＡ／Ｄコンバータ１１１を介して得られる信号から表示画像の輝度または色度を測定し、表示画像が所望の輝度または色度となるように少なくとも映像信号の増幅度を含む各種パラメータを補正することとしたので、省電力モード時に自動的に輝度または色度の補正を行うことができ、ＣＲＴ１０５の表示画像が常に所望（工場出荷時）の輝度または色度となるように、ユーザが意識することなく自動的かつ容易に画質の補正を行うことができ、しかも目視よりも確かな数値の比較によって最適なパラメータを求めるので、高い補正精度を実現することができる。
【００３８】
〔第２の実施形態〕
図６は本発明の第２の実施形態に係る表示装置の構成図である。同図において、図１に示される第１の実施形態と同一構成部分については、同一符号を付する。
【００３９】
同図において、本実施形態の表示装置は、第１の実施形態と同様に、パソコン１０１において処理された映像データ１５１をＣＲＴ６０５上に表示するものであって、映像切換回路１０３、映像回路１０４，ＣＲＴ６０５、発振回路１０８、偏向・高圧回路１０９、光電変換装置１１０、制御回路６１２、ＡＣ電源１０２、電源回路１１３、パワーセーブ回路１１４、地磁気補正コイル駆動回路６１６、および地磁気補正コイル６１７を備えて構成されている。また、制御回路６１２は、ＭＰＵ６０６、記憶回路６０７、Ａ／Ｄコンバータ１１１、およびＤ／Ａコンバータ６１５を備えた構成である。
【００４０】
ＭＰＵ６０６は、各制御信号１５７，１５８，１５９等を介して各構成回路の動作を制御するとともに、供給される映像信号１５１に付属する水平および垂直同期信号１５２に基づいて省電力モードを検知する省電力モード検知手段として、また、省電力モードを検知したときに、光電変換装置１１０およびＡ／Ｄコンバータ１１１を介して得られるＣＲＴ６０５上の表示画像が所望の画質となるように表示における各種パラメータを補正する補正手段として機能する。
【００４１】
すなわち、映像切換回路１０３に対しては、通常動作時にはパソコン１０１からの映像信号１５１を、調整時にはＭＰＵ６０６からの調整用映像信号１５４をそれぞれ選択切換するように制御信号１５７を出力し、映像回路１０４に対しては、表示すべき映像信号を所定の増幅度等の表示パラメータで表示するように制御信号１５８を出力し、さらに、水平および垂直同期信号１５２の有無に基づき（水平および垂直同期信号１５２が供給されないときには）省電力モードであることを検知して、パワーセーブ回路１１４に対して、映像回路１０４および偏向・高圧回路１０９への電源供給を遮断するように制御信号１５９を出力する。
【００４２】
また、表示手段であるＣＲＴ６０５上に表示された画像は、光電変換装置１１０によって画像信号に変換され、Ａ／Ｄコンバータ１１１でディジタル信号に変換された後、ＭＰＵ６０６に供給される構成となっている。これは、ＭＰＵ６０６が省電力モードを検知したときに行う校正処理の際に、ＣＲＴ６０５上の表示画像を取り込んで、該表示画像の輝度を測定するためのものである。
【００４３】
さらに、ＣＲＴ６０５には、地磁気補正（Global Sync）を行うための地磁気補正コイル６１７を具備しており、該地磁気補正コイル６１７は、Ｄ／Ａコンバータ６１５介したＭＰＵ６０６の制御に基づき、地磁気補正コイル駆動回路６１６により駆動されている。
【００４４】
次に、以上の各構成要素を具備した本実施形態の表示装置における、省電力モード時の地磁気補正の校正処理について、図７および図８のフローチャートを参照して詳細に説明する。尚、省電力モード時に行われる校正機能（地磁気補正の校正処理）の概略は、第１の実施形態における図２と同様である。
【００４５】
まず、ステップ７０１では、ＭＰＵ６０６は、パソコン１０１から水平および垂直同期信号１５２の出力が停止されていることを検知して、パソコン１０１が省電力モード（パワーセーブモード）に入ったことを検知して、校正機能の処理に切り替える。
【００４６】
次に、ステップ７０２では、ＭＰＵ６０６は、予め記憶回路６０７に保持されている調整用映像信号１５４を映像切換回路１０３に出力する。また、ステップ７０３では、ＭＰＵ６０６からの調整用映像信号１５４を映像回路１０４に供給するため、映像切換回路１０３における切換選択を制御すべく制御信号１５７を出力する。これにより、ステップ７０４では、調整用映像信号１５４が映像回路１０４により所定の増幅条件にて増幅され、ＣＲＴ６０５に印加されて映像を映し出す。
【００４７】
次に、ステップ７０５では、ＣＲＴ６０５に映し出された画像の輝度を光電変換装置１１０により電気信号に変換する。また、ステップ７０６では、光電変換された信号をＡ／Ｄコンバータ１１１を介してＭＰＵ６０６内に取り込み、ＭＰＵ６０６において、調整用映像信号による画像の輝度を数値化し、該数値をＹ１とする。
【００４８】
さらに、ステップ８０１では、映像信号による画像の輝度Ｙが最大となる時が地磁気補正の最適な状態であることから、地磁気補正コイル駆動回路６１６からの電流量（ＭＰＵ６１６からの制御信号６６７の制御量Ｚ）を変化させ、ステップ８１１からステップ８１６までの処理を繰り返す。
【００４９】
すなわち、ステップ８１１では、ＭＰＵ６０６から出力される制御信号６６７の制御量Ｚを変化させて、地磁気補正コイル駆動回路６１６から地磁気補正コイル６１７に印加される電流量を変化させる。これにより、ステップ８１２では、ＣＲＴ６０５を取り巻く磁界が変化して、蛍光体に当たる電子ビームの位置がずれることとなる。また、ステップ８１３では、電子ビームの位置がずれることにより、表示画像の輝度が変化する。次に、ステップ８１４では、ＣＲＴ６０５に映し出された画像の輝度を光電変換装置１１０により電気信号に変換し、光電変換された信号をＡ／Ｄコンバータ１１１を介してＭＰＵ６０６内に取り込み、ステップ８１５では、ＭＰＵ６０６において、変化させた画像の輝度および色度（色合い）を数値化し、該数値をＹｎとする。さらに、ステップ８１６では、１回前の繰り返しループにおける映像信号による画像の輝度Ｙｎ−１と現在の繰り返しループにおける映像信号による画像の輝度Ｙｎとを比較して、得られた映像信号による画像の輝度Ｙｎが最大値とされるまで、上記ステップ８１１からステップ８１６までの処理を繰り返す。
【００５０】
ステップ８１６において、映像信号による画像の輝度Ｙｎが最大値とされると、ステップ８０２に進んで、この時のＭＰＵ６０６から出力される制御信号６６７の制御量Ｚｎを記憶回路６０７に記録する。すなわち、この記憶回路６０７に保持された制御量Ｚｎによって地磁気補正コイル６１７による地磁気補正を行うことで、ＣＲＴ６０５の表示状態を最適とすることができる。したがって、ＭＰＵ６０６は、次の地磁気補正の校正処理が実行されるまで、この制御量Ｚｎを出力し続ける。
【００５１】
次に、ステップ８０３では、ＭＰＵ６０６からの調整用映像信号１５４の出力を停止し、ステップ８０４で、再びパソコン１０１からの映像信号１５１を映像回路１０４に供給するため、映像切換回路１０３における選択を切り換えるべく制御信号１５７を出力し、地磁気補正の校正処理を終了する。
【００５２】
以上のように、第２の実施形態の表示装置によれば、省電力モード検知手段（ＭＰＵ）１０６により、供給される映像信号に付属する同期信号に基づいて省電力モードを検知すると、ＣＲＴ６０５上に表示される画像を光電変換装置１１０によって画像信号に変換し、補正手段（ＭＰＵ）１０６により、光電変換装置１１０およびＡ／Ｄコンバータ１１１を介して得られる信号から表示画像の輝度を測定し、表示画像が最大輝度となるように少なくとも地磁気補正手段の駆動条件を含む各種パラメータを補正することとしたので、省電力モード時に自動的に地磁気補正手段の駆動条件の補正を行うことができ、ＣＲＴ６０５の表示画像が常に所望の画質となるように、ユーザが意識することなく自動的に画質の高精度な補正を行うことができる。
【００５３】
以上説明した第１および第２の実施形態では、所望の画質として輝度および色度（色合い）、並びに、地磁気による影響を対象とし、輝度および色度（色合い）の補正処理、並びに、地磁気補正の校正処理を行ったが、本発明は、これに限定されることはなく、例えば、表示画面の大きさ、位置または傾きについて補正処理を行うようにしてもよい。
【００５４】
この場合、図１において、ＭＰＵ１０６は、光電変換装置１１０によりＣＲＴ１０５上の画像を取り込み、該表示画像が所望の大きさ、位置または傾きとなるように表示における各種パラメータ（例えば、映像回路１０４の映像信号の増幅度や、偏向・高圧回路１０９による電圧量等）を補正することとなる。
【００５５】
【発明の効果】
以上の説明から明らかなように、本発明によれば、省電力モード検知手段により、供給される映像信号に付属する同期信号に基づいて省電力モードを検知すると、表示手段上に表示される画像を光電変換手段によって画像信号に変換し、補正手段により、光電変換手段を介して得られる表示画像が所望の画質となるように表示手段における各種パラメータを補正することとしたので、ユーザが表示装置および該表示装置上に表示すべき映像データを処理する処理装置を使用していない省電力モード時に、自動的に補正を行うことができ、結果として、表示装置の表示画像が常に所望の画質となるように、ユーザが意識することなく自動的に画質の高精度な補正を行うことが可能な表示装置を提供することができる。
【００５６】
また、本発明によれば、特に、補正手段において、省電力モード検知手段において省電力モードを検知したときに、光電変換手段により表示画像の輝度または色度を測定し、該表示画像が所望の輝度または色度となるように少なくとも前記映像信号の増幅度を含む各種パラメータを補正することとしたので、省電力モード時に自動的に輝度または色度の補正を行うことにより、表示装置の表示画像が常に所望の輝度または色度となるように、ユーザが意識することなく自動的に画質の補正を行うことができ、しかも高い補正精度を実現し得る表示装置、その表示画像補正方法および記録媒体を提供することができる。
【００５７】
また、本発明によれば、特に、補正手段において、省電力モード検知手段において省電力モードを検知したときに、光電変換手段により表示画像の輝度を測定し、該表示画像が最大輝度となるように少なくとも地磁気補正手段の駆動条件を含む各種パラメータを補正することとしたので、省電力モード時に自動的に地磁気補正手段の駆動条件の補正を行うことができ、結果として、表示装置の表示画像が常に所望の画質となるように、ユーザが意識することなく自動的に画質の高精度な補正を行うことが可能な表示装置を提供することができる。
【００５８】
さらに、本発明によれば、特に、補正手段において、省電力モード検知手段において省電力モードを検知したときに、光電変換手段により表示画像を取り込み、該表示画像が所望の大きさ、位置または傾きとなるように前記各種パラメータを補正することとしたので、省電力モード時に自動的に表示画面の大きさ、位置または傾きの補正を行うことができ、結果として、表示装置の表示画像が常に所望の画質となるように、ユーザが意識することなく自動的に画質の高精度な補正を行うことが可能な表示装置を提供することができる。
【図面の簡単な説明】
【図１】本発明の第１の実施形態に係る表示装置の構成図である。
【図２】省電力モード時に行われる校正機能の概略フローチャートである。
【図３】工場出荷時に行われる輝度および色度の補正処理を説明するフローチャートである。
【図４】省電力モード時の輝度および色度の補正処理を説明するフローチャート（その１）である。
【図５】省電力モード時の輝度および色度の補正処理を説明するフローチャート（その２）である。
【図６】本発明の第２の実施形態に係る表示装置の構成図である。
【図７】省電力モード時の地磁気補正の校正処理を説明するフローチャート（その１）である。
【図８】省電力モード時の地磁気補正の校正処理を説明するフローチャート（その２）である。
【符号の説明】
１０１    パーソナルコンピュータ（パソコン，ＰＣ）
１０２    ＡＣ電源
１０３    映像切換回路
１０４    映像回路
１０５，６０５    ＣＲＴ（陰極線管表示装置）
１０６，６０６    ＭＰＵ
１０７，６０７    記憶回路
１０８    発振回路
１０９    偏向・高圧回路
１１０    光電変換装置（光電変換手段）
１１１    Ａ／Ｄコンバータ
１１２    制御回路
１１３    電源回路
１１４    パワーセーブ回路
１５１    映像信号
１５２    水平および垂直同期信号
１５４    調整用映像信号
１５７〜１５９，６６７    制御信号
１６３    電源線
６１６    地磁気補正コイル駆動回路
６１７    地磁気補正コイル
６１５    Ｄ／Ａコンバータ
【図１】
0003812088.tif 000002
【図２】
0003812088.tif 000003
【図３】
0003812088.tif 000004
【図４】
0003812088.tif 000005
【図５】
0003812088.tif 000006
【図６】
0003812088.tif 000007
【図７】
0003812088.tif 000008
【図８】
0003812088.tif 000009